(57)【要約】【課題】入稿された電子版下データの不具合の程度を容易に確認することができるようにして、管理者や作業者の負担を軽減する。【解決手段】１つ又は複数の評価項目ＥＳについて評価項目ごとに電子版下データにおけるパラメータ値ＰＶを導出するパラメータ値導出部１４と、評価項目ごとにパラメータ値を導出し評価するために参照する評価基準ＴＢを記憶する評価基準記憶部１２と、パラメータ値と評価基準とから評価項目ごとの完成度を数値化する完成度数値化部１５と、数値化された完成度を表示する表示部１７と、を有する。【選択図】図１
2006162812.tif 000002
【特許請求の範囲】
【請求項１】
デジタルデータとして入稿された電子版下データを管理するシステムであって、
１つまたは複数の評価項目について前記評価項目ごとに前記電子版下データにおけるパラメータ値を導出するパラメータ値導出手段と、
前記評価項目ごとに前記パラメータ値を導出し評価するために参照する評価基準を記憶する評価基準記憶手段と、
前記パラメータ値または前記パラメータ値と前記評価基準とから前記電子版下データの前記評価項目ごとの完成度を数値化する完成度数値化手段と、
前記完成度数値化手段により数値化された完成度を表示する表示手段と、
を有することを特徴とする電子版下データ管理システム。
【請求項２】
前記完成度数値化手段は、
前記電子版下データ全体、前記電子版下データの章ごと、前記電子版下データの頁ごと、および前記頁を構成する画像ごとのいずれか１以上における前記評価項目ごとの完成度を算出して数値化し、および／または複数の前記評価項目の完成度から前記電子版下データ全体、前記章ごと、前記頁ごと、および前記画像ごとのいずれか１以上における総合完成度を算出して数値化する、
請求項１記載の電子版下データ管理システム。
【請求項３】
前記評価項目は、前記画像の傾き、前記画像の位置のズレ、前記画像中の孤立点の存在の仕方、前記画像の画質が要する画質修正処理の種類数、および画像の印刷仕様と印刷装置の仕様との不適合項目数である、
請求項１または請求項２記載の電子版下データ管理システム。
【請求項４】
前記表示手段はディスプレイ画面であり、
前記ディスプレイ画面に、前記電子版下データごと、前記章ごと、前記頁ごと、および前記画像ごとのいずれか１以上における、１つまたは複数の前記評価項目の完成度および／または複数の前記評価項目から算出された総合完成度を表示する、
請求項２または請求項３記載の電子版下データ管理システム。
【請求項５】
前記表示手段による表示において、前記電子版下データ、前記章、前記頁、および前記画像を階層化されたツリー形式で表示し、且つ前記電子版下データ、前記章、前記頁、および前記画像を、それぞれを象徴したアイコンとともにまたは前記アイコンで置き換えて表示する、
請求項４記載の電子版下データ管理システム。
【請求項６】
前記表示手段による表示において、前記電子版下データごと、前記章ごと、前記頁ごと、または前記画像ごとのいずれかに１以上おける、１つまたは複数の前記評価項目の完成度および／または複数の前記評価項目から算出された総合完成度をグラフ化して表示する、
請求項４または請求項５記載の電子版下データ管理システム。
【請求項７】
前記完成度数値化手段により数値化された完成度に基づいて、前記電子版下データ単位、前記章単位、前記頁単位、および前記画像単位について分類する手段を有する、
請求項１乃至請求項３のいずれかに記載の電子版下データ管理システム。
【請求項８】
前記完成度数値化手段により数値化された完成度に基づいて、前記電子版下データ、前記章、前記頁、および前記画像について検索する手段を有する、
請求項１乃至請求項３のいずれかに記載の電子版下データ管理システム。
【請求項９】
前記評価項目ごとに前記評価基準を変更して前記評価基準記憶手段に記憶させる手段を有する、
請求項１乃至請求項８のいずれかに記載の電子版下データ管理システム。
【発明の詳細な説明】
【技術分野】
【０００１】
本発明は、印刷物を作成するための電子版下データを取り扱う電子版下データ管理システムに関する。
【背景技術】
【０００２】
近年、印刷業界では、印刷に用いる版下を紙版下ではなく電子版下データとして入稿するようになっている。この電子版下データは、紙原稿をスキャナなどで読み取ってデジタル化することにより作成され、また、パーソナルコンピュータ上で編集用のソフトウェアを使用して行うＤＴＰ（Ｄｅｓｋ  Ｔｏｐ  Ｐｕｂｌｉｓｈｉｎｇ）などにより作成される。
【０００３】
しかし、紙原稿をスキャナで読み取って電子版下データとしたものでは、紙原稿が傾いた状態でスキャンされたために電子版下データが傾いた状態となっていたり、紙原稿上の黒点やスキャン時のゴミ等がノイズとなって電子版下データを汚す等の不具合が見られる場合がある。また、例えば、入稿された電子版下データがカラー原稿であるのに対し、印刷装置がモノクロ印刷にしか対応していない場合などのように、電子版下データと印刷装置の仕様とが合致せず、入稿された電子版下データのままでは適切な印刷ができない場合もある。そこで、電子版下データを適切に印刷できるようにするため、入稿された電子版下データについて事前に点検し、不具合があれば修正する作業が行われる。
【０００４】
しかしながら、入稿される電子版下データには、一般に、その完成度にばらつきがあるので、その修正に当たっては入稿された全ての電子版下データを一律に扱うことができない。そのため、電子版下データの修正に要する工数を確認するために、画像処理作業に熟練した作業者による電子版下データごとの時間をかけた確認作業が必要であるという問題があった。
【０００５】
特許文献１には、製版用画像上または文字情報上に、属性情報であるファイル名、変倍率、および解像度を重ねて出力することにより、作業者の修正作業の負担を軽減する技術が開示されている。
【特許文献１】特開２００２−３３０２８０号公報
【発明の開示】
【発明が解決しようとする課題】
【０００６】
しかし、入稿された電子版下データに対して、特許文献１に開示された技術のように画像と属性情報とを重ねて出力するだけでは、電子版下データ全体の不具合の程度を知ることは難しい。
【０００７】
本発明は、上述の問題に鑑みてなされたもので、入稿された電子版下データの不具合の程度を容易に確認することができるようにして、管理者の管理負担を軽減することを目的とする。
【課題を解決するための手段】
【０００８】
本発明に係る電子版下データ管理システムは、デジタルデータとして入稿された電子版下データを管理するシステムであって、１つまたは複数の評価項目について前記評価項目ごとに前記電子版下データにおけるパラメータ値を導出するパラメータ値導出手段と、前記評価項目ごとに前記パラメータ値を導出し評価するために参照する評価基準を記憶する評価基準記憶手段と、前記パラメータ値または前記パラメータ値と前記評価基準とから前記電子版下データの前記評価項目ごとの完成度を数値化する完成度数値化手段と、前記完成度数値化手段により数値化された完成度を表示する表示手段と、を有する。
【０００９】
本発明に係る電子版下データ管理システムでは、前記完成度数値化手段は、前記電子版下データ全体、前記電子版下データの章ごと、前記電子版下データの頁ごと、および前記頁を構成する画像ごとのいずれか１以上における前記評価項目ごとの完成度を算出して数値化し、および／または複数の前記評価項目の完成度から前記電子版下データ全体、前記章ごと、前記頁ごと、および前記画像ごとのいずれか１以上における総合完成度を算出して数値化する。
【００１０】
前記評価項目は、前記画像の傾き、前記画像の位置のズレ、前記画像中の孤立点の存在の仕方、前記画像の画質が要する画質修正処理の種類数、および画像の印刷仕様と印刷装置の仕様との不適合項目数である。
【００１１】
また、前記表示手段はディスプレイ画面であり、前記ディスプレイ画面に、前記電子版下データごと、前記章ごと、前記頁ごと、および前記画像ごとのいずれか１以上における、１つまたは複数の前記評価項目の完成度および／または複数の前記評価項目から算出された総合完成度を表示する。
【００１２】
好ましくは、前記表示手段による表示において、前記電子版下データ、前記章、前記頁、および前記画像を階層化されたツリー形式で表示し、且つ前記電子版下データ、前記章、前記頁、および前記画像を、それぞれを象徴したアイコンとともにまたは前記アイコンで置き換えて表示する。
【００１３】
また、前記表示手段による表示において、前記電子版下データごと、前記章ごと、前記頁ごと、または前記画像ごとのいずれかに１以上おける、１つまたは複数の前記評価項目の完成度および／または複数の前記評価項目から算出された総合完成度をグラフ化して表示する。
【００１４】
本発明に係る電子版下データ管理システムでは、前記完成度数値化手段により数値化された完成度に基づいて、前記電子版下データ単位、前記章単位、前記頁単位、および前記画像単位について分類する手段を有する。
【００１５】
また、本発明に係る電子版下データ管理システムでは、前記完成度数値化手段により数値化された完成度に基づいて、前記電子版下データ、前記章、前記頁、および前記画像について検索する手段を有する。
【００１６】
好ましくは、本発明に係る電子版下データ管理システムでは、前記評価項目ごとに前記評価基準を変更して前記評価基準記憶手段に記憶させる手段を有する。
【発明の効果】
【００１７】
本発明によると、入稿された電子版下データの不具合の程度を容易に確認することができるので、電子版下データの管理者の管理負担を軽減することができる。
【発明を実施するための最良の形態】
【００１８】
図１は本発明に係る電子版下データ管理システムの構成を示す図、図２は電子版下データ管理システムを実施するための機器構成を示す図である。
【００１９】
図１および図２を参照して、電子版下データ管理システム１は、画像処理部１１、記憶部１２、基準値設定部１３、パラメータ値導出部１４、完成度数値化部１５、分類検索部１６，表示部１７、および記憶領域１８からなる。電子版下データ管理システム１は、例えばパーソナルコンピュータＰＣなどを用いて実現される。
【００２０】
画像処理部１１は、電子版下データにおける、画像の傾き、画像の位置のズレ、および画質の適正化などの修正処理をおこなうためのものである。作業者は、表示部１７に表示された画像を見ながらマウスＭＳやキーボードＫＢなどを操作して画像処理部１１に指示を送る。画像処理部１１はその指示に従って電子版下データを修正する。画像処理部１１の機能は、パーソナルコンピュータＰＣにより実行されるプログラムによって実現される。
【００２１】
記憶部１２は、入稿された電子版下データ、評価基準ＴＢ、および数値化された完成度などを一時的に記憶する。入稿された電子版下データに対しては、後述するように、その完成度の数値化処理が行われる。その際に、評価基準ＴＢが参照される。記憶部１２として、例えば図２に示すパーソナルコンピュータＰＣのＲＡＭが用いられる。
【００２２】
ここで、完成度について説明する。完成度とは、電子版下データが適正な印刷を行えるように完成されている度合いをパーセントと示したものである。つまり、画像処理部１１によって各評価項目ＥＳの不具合について修正が行われたことなどにより適正な印刷を行うことが可能となった電子版下データの完成度を１００％と定義し、入稿された電子版下データの状態をこれと比較して相対的な数値として評価したものである。
【００２３】
各評価項目ＥＳとは、画像の傾き、画像の位置のズレ、画像の画質の適正度合い、画像の印刷仕様の印刷装置２１への適合性、および画像を汚すおそれのある孤立点（ノイズ）の存在などに関するものである。
【００２４】
したがって、電子版下データ管理システム１が数値化処理により算出する完成度は、画像の傾きを評価項目ＥＳとする完成度（以下「傾き完成度」という。）、位置のズレを評価項目ＥＳとする完成度（以下「位置ズレ完成度」という）、画質の適正度合いを評価項目ＥＳとする完成度（以下「画質完成度」という）、印刷装置２１への適合性を評価項目ＥＳとする完成度（以下「印刷適合完成度」という）、および孤立点による汚れの状態を評価項目ＥＳとする完成度（以下「孤立点完成度」という）である。また、電子版下データ管理システム１は、これら５つの完成度を総合した画像ごと、頁ＰＧごと、章ごと、電子版下データ全体における総合的な完成度（以下「総合完成度Ｐｃ，Ｓｃ，Ａｃ」という）の数値化処理も行う。
【００２５】
基準値設定部１３は、電子版下データの各評価項目ＥＳについての完成度を数値化する際に、参照される評価基準を予め設定するためのものである。評価基準は、電子版下データの画像ごとの各評価項目ＥＳについてのパラメータ値ＰＶ、すなわち、画像の傾きの程度、画像の位置のズレの程度、画像の画質の適正度合い、画像の印刷仕様の印刷装置２１への適合性の程度、および画像を汚すおそれのある孤立点の存在の程度に基づいて、完成度を数値化するために用いられる数値対照表、判断基準、計算式の補正係数等である。評価基準は、評価項目ＥＳごとに設定され、記憶領域１８に保存される。一旦設定された評価基準は、随時、基準値設定部１３により変更することが可能である。各評価項目ＥＳにおける評価基準については、後に頁ＰＧを例とする各評価項目の完成度Ｃａ〜ｅの数値化処理とともに説明する。
【００２６】
パラメータ値導出部１４は、入稿された電子版下データから、評価項目ＥＳごとの種々のパラメータ値ＰＶを導出するためのものである。各パラメータ値ＰＶは、画像処理部１１の種々の自動補正機能に付随して備えられた各検出機能を利用して導出される。
【００２７】
完成度数値化部１５は、パラメータ値導出部１４により導出された各評価項目ＥＳにおけるパラメータ値ＰＶから、画像単位、頁ＰＧ単位、章単位、および電子版下データ全体についての評価項目ＥＳごとの完成度を数値化し、およびこれらの完成度から画像単位、頁ＰＧ単位、章単位、および電子版下データ全体の総合完成度Ｐｃ，Ｓｃ，Ａｃを数値化するためのものである。
【００２８】
分類検索部１６は、数値化された評価項目ＥＳごとの完成度および総合完成度Ｐｃ，Ｓｃ，Ａｃに基づいて、画像単位、頁ＰＧ単位、章単位、および電子版下データ全体を単位として分類し、または検索するためのものである。分類および検索については、後に説明する。
【００２９】
表示部１７は、電子版下データや数値化された各完成度を視覚的に表示するためのものである。表示部１７として、ＣＲＴ、液晶ディスプレイなどの表示装置ＤＰが用いられる。
【００３０】
記憶領域１８は、入稿された電子版下データ、電子版下データについて算出された各完成度、各評価項目ＥＳの評価基準ＴＢ、その他のデータ、データベース、ファイルなどを記憶する。記憶領域１８には、また、電子版下データ管理システム１の上に述べた各部１１，１３〜１７を機能的に実現するためのプログラム、分類および検索のためのプログラム、その他電子版下データ管理システム１の動作に関連する種々のプログラムを記憶する。記憶領域１８として、例えば、パーソナルコンピュータＰＣに内蔵された磁気ディスク装置ＨＤＤ内の記憶領域が用いられる。その場合に、記憶領域１８に格納されたプログラムは、適宜ＲＡＭに読み出され、ＣＰＵにより実行される。
【００３１】
電子版下データ管理システム１には、ＣＤ−ＲＯＭドライブ、ＭＯドライブなどの記録媒体読み取り装置１９、および紙原稿を読み取って電子化するスキャナ２０などの、電子版下データを入稿するための装置が接続される。また、電子版下データ管理システム１は、通信回線ＮＷを介してネットワークと接続されており、ネットワークを経由して電子版下データを入稿することも可能である。
【００３２】
電子版下データ管理システム１には印刷装置２１が接続され、画像処理部１１により適正に修正された電子版下データを印刷することができるようになっている。印刷装置２１として、例えば、レーザプリンタやイメージセッターなどが用いられる。印刷装置２１として複合機（ＭＦＰ：Ｍｕｌｔｉ−Ｆｕｎｃｔｉｏｎ  Ｐｅｒｉｐｈｅｒａｌ）を用いてもよい。その場合に、複合機のスキャナ機能や表示機能を利用することも可能である。
【００３３】
次に、頁ＰＧ単位の画像ＧＺに対して各評価項目ＥＳについての完成度を数値化する方法について説明する。
【００３４】
図３は傾き完成度Ｃａの数値化方法を示す図、図４は位置ズレ完成度Ｃｂの数値化方法を示す図、図５は画質完成度Ｃｃの数値化方法を示す図、図５は孤立点完成度Ｃｅの数値化方法を示す図、図７は評価基準の例を示す図である。
【００３５】
なお、各評価項目ＥＳについての完成度の数値化は、頁ＰＧを構成する複数の画像それぞれに対して行うことができる。しかし、以下においては、理解の容易化のために、頁ＰＧ全体を１つの画像ＧＺとし、画像ＧＺにおける各評価項目ＥＳについての完成度Ｃａ〜ｅを数値化する場合について、説明を行う。
【００３６】
図３を参照して、傾き完成度Ｃａの数値化では画像データによる画像ＧＺの傾きの程度、つまり、傾き角度Ｓｄが検出される。傾き角度Ｓｄは、公知の種々の方法により求めることができる。本実施形態においては、画像処理部１１が有する傾きの自動補正機能における検出手段を利用して、傾き角度Ｓｄが導出される。
【００３７】
傾き角度Ｓｄは、画像ＧＺを矩形と想定し、長辺と短辺とがそれぞれ用紙の長辺と短辺とに平行の場合を０度とし、最大の傾き角度Ｓｄを画像ＧＺの倒立状態である１８０度と規定する。そして、傾き角度Ｓｄは、画像ＧＺの傾きの方向にかかわらず０度に対する傾きの角度（絶対値）を用いる。
【００３８】
傾き完成度Ｃａは、傾き角度Ｓｄが０度の場合を完成度１００％とし、傾き角度Ｓｄが１８０度の場合を完成度０％として、その角度の範囲で、（１）式により数値化する。
【００３９】
Ｃａ＝｛１−（Ｓｄ÷１８０）÷Ｃ１｝×１００    ……  （１）
ここで、Ｃ１は重み付け定数である。本実施形態では、重み付け定数Ｃ１として５が割り当てられる。これは、画像処理部１１による画像ＧＺの傾きの修正が比較的軽い作業であることを考慮したものである。重み付け定数Ｃ１に５を割り当てることで、傾き完成度Ｃａが低い値になりすぎないように調整している。重み付け定数Ｃ１は、評価基準ＴＢの傾き完成度Ｃａに関する基準の内容ＰＳ（図７）が参照される。ここで、傾き角度Ｓｄは、本発明におけるパラメータ値ＰＶである。
【００４０】
図３に示される例において、画像ＧＺ１では傾き角度Ｓｄ１が４５度であるので傾き完成度Ｃａ１は（１）式より９５％となる。画像ＧＺ２では傾き角度Ｓｄ２が１３５度であるので傾き完成度Ｃａ２は（１）式より８５％となる。また、画像ＧＺ３では傾き角度Ｓｄ３が９０度であるので傾き完成度Ｃａ３は（１）式より９０％である。
【００４１】
次に、位置ズレ完成度Ｃｂの数値化処理について説明する。
【００４２】
位置ズレ完成度Ｃｂの数値化処理では、頁ＰＧの画像ＧＺについて、図４（ａ）における頁ＰＧ内の当該画像ＧＺの設定された基準位置と実際に配置された画像ＧＺの位置との位置ズレの程度が、位置ズレ完成度Ｃｂとして数値化される。位置ズレ完成度Ｃｂの数値化の過程において、（ｂ）を参照して、基準位置Ｐ１と画像ＧＺの左上端部Ｐ２との横方向の位置ズレの値Ｃｂｘおよび縦方向の位置ズレの値Ｃｂｙが導出される。導出された２つの位置ズレの値Ｃｂｘ，Ｃｂｙから、評価基準ＴＢの位置ズレについての基準の内容ＴＢ１を参照して、それぞれの方向のズレ指標Ｃｉｘ，Ｃｉｙを求める。
【００４３】
図８に示される例では、横方向の位置ズレの値Ｃｂｘが３ｍｍなので、評価基準ＴＢから横方向のズレ指標Ｃｉｘは６０となる。同様に、縦方向の位置ズレの値Ｃｂｙは５ｍｍなので、縦方向のズレ指標Ｃｉｙは５０となる。
【００４４】
位置ズレ完成度Ｃｂは、２つのズレ指標Ｃｉｘ，Ｃｉｙを、（２）式に示されるように算術平均して算出される。
【００４５】
Ｃｂ＝（Ｃｉｘ＋Ｃｉｙ）÷２        ……  （２）
（２）式より、図４に示される頁ＰＧの位置ズレ完成度Ｃｂは、５５％として算出される。
【００４６】
位置ズレ完成度Ｃｂの算出においては、各位置ズレの値Ｃｂｘ，Ｃｂｙが本発明におけるパラメータ値ＰＶである。
【００４７】
次に、画質完成度Ｃｃの数値化処理について説明する。
【００４８】
画質完成度Ｃｃは、画像処理部１１が有する種々の画質修正処理法の数Ｎｃに対して、頁ＰＧの画像データについて行う必要のある画質修正処理法の数Ｎｄの割合を非完成度と考え、１００％からこの非完成度を差し引くことで算出される。この画質完成度Ｃｃの数値化で参照される評価基準ＴＢは、判断を要する画像修正処理法についてその方法による修正を行う必要があるかどうかを判断するために用いるしきい値などである。判断する対照となる画質修正処理法を画像処理部１１が有する全画質修正処理法とせず、画質修正処理法の一部に限定することができる。その場合、画質修正処理法の数Ｎｃは、限定された画質修正処理法の数となる。
【００４９】
画質完成度Ｃｃは、次に示す（３）式により求められる。
【００５０】
Ｃｃ＝｛１−Ｎｄ÷Ｎｃ｝×１００    ……  （３）
図５には、頁ＰＧの画像ＧＺに対して、画像処理部１１が有する画質修正処理法の総数Ｎｃが１５種類あり、その全てについて要否の判断が行われて、例えば、色調補正および赤目処理を行う必要があると判断された場合の例が示される。この例では、（３）式において判断対象画質修正処理法数Ｎｃが１５、および必要画像修正処理法数Ｎｄが２となり、図５に示されるように、画質完成度Ｃｃは８７％として算出される。
【００５１】
画質完成度Ｃｃの算出においては、必要な画質修正処理の数Ｎｄが本発明におけるパラメータ値ＰＶである。
【００５２】
次に、印刷適合完成度Ｃｄの数値化処理について説明する。
【００５３】
印刷適合完成度Ｃｄは、印刷装置２１の装置仕様（能力）に対して頁ＰＧの印刷仕様がどの程度適合しているかの指標となるものである。印刷適合完成度Ｃｄが１００％であれば、頁ＰＧの画像データに修正を加えることなく印刷装置２１により頁ＰＧを適正に印刷することができる。
【００５４】
頁ＰＧの印刷仕様の印刷装置２１への適合性の判断は、電子版下データの印刷に使用される印刷装置２１の装置仕様の各項目について、頁ＰＧの印刷仕様が適合しない項目の数（不適合項目数）Ｎｒを抽出することにより行われる。例えば、頁ＰＧの大きさが印刷装置２１による印刷可能な用紙の大きさを超えていないか、カラー印刷に対応しない印刷装置２１に対し画像データがカラーモードになっていないか、画像ＧＺの解像度は印刷装置２１で印刷するのに適した範囲内であるか、などが判断される。この適合性の判断に際しては、評価基準ＴＢから印刷に使用される印刷装置２１の装置仕様が参照される（図７）。
【００５５】
接続された印刷装置２１に対して当該頁ＰＧの印刷仕様のうち適合しない項目の数Ｎｒが導出されると、（４）式により印刷適合完成度Ｃｄが算出される。
【００５６】
Ｃｄ＝１００−（１０×Ｎｒ）    ……  （４）
（４）式では、印刷適合完成度Ｃｄは、適合しない項目が１つ有るごとに完成度１００％から１０％を減ずることにより算出される。例えば、頁ＰＧの印刷仕様が、印刷装置２１で印刷可能な用紙の上限のＡ３より大きな非定型用紙の印刷が指定され、且つカラー印刷に対応していない印刷装置に対してカラー印刷が指定されているときは、適合しない項目数Ｎｒが２つと判断され、（４）式から印刷適合完成度Ｃｄは８０％として算出される。
【００５７】
印刷装置２１への適合の可否を判断する項目数が１０以上あり、そのうち印刷仕様に適合しない項目が１０を超える場合には、当該頁ＰＧの印刷適合完成度Ｃｄはすべて０％と判断される。ここでは、接続された印刷装置２１による印刷に適合しない項目数Ｎｒが、本発明におけるパラメータ値ＰＶに該当する。
【００５８】
図６を参照して、孤立点完成度Ｃｅは、頁ＰＧＡ，ＰＧＢの全画素数Ｎａおよび頁ＰＧＡ，ＰＧＢ内の孤立点の全画素数Ｎｐがパラメータ値ＰＶとして導出される。導出された全画素数Ｎａおよび孤立点の全画素数Ｎｐから、当該頁ＰＧの暫定非完成度Ｃｕが（５）式により求められる。
【００５９】
Ｃｕ＝（Ｎｐ÷Ｎａ）×１００      ……（５）
孤立点完成度Ｃｅは、この暫定非完成度Ｃｕと、頁ＰＧＡ，ＰＧＢ内の孤立点の分布を考慮して決定される補正係数Ｃ２とから、（６）式により算出される。
【００６０】
Ｃｅ＝１００−Ｃｕ×Ｃ２×Ｃ３          ……（６）
（６）式の右辺第２項におけるＣ３は重み付け定数である。本実施形態では、重み付け定数Ｃ３に５が割り当てられる。（６）式において、重み付け定数Ｃ３として５が割り当てられているのは、孤立点の除去作業は技術的負荷が高いことを考慮して、他の完成度Ｃａ〜ｄとのバランスを考慮して孤立点完成度Ｃｅを調整したものである。この重み付け定数Ｃ３は、評価基準ＴＢを参照して割り当てられる。
【００６１】
（６）式における補正係数Ｃ２は、頁ＰＧ内に孤立点が部分ごとに集まって存在するときは０．５が、頁ＰＧ内に孤立点が散在しているときは２が当てはめられる。これは、孤立点が部分ごとに集まって存在するときは作業が単純で効率よく孤立点の除去ができるからであり、孤立点が散在しているときは作業が複雑で孤立点の除去に時間を要するからである。
【００６２】
頁ＰＧ内の孤立点の分布の状態は、以下のようにして判断される。
【００６３】
図６において、（ａ）は孤立点が部分ごとに集まって存在する頁ＰＧＡを表し、（ｂ）は孤立点が散在している頁ＰＧＢを表している。（ａ）において、例えば、孤立点Ａ１に注目して孤立点Ａ１に最も近い孤立点Ａ２および次に近い孤立点Ａ３とのそれぞれの距離ａ１，ａ２を求める。次に、孤立点Ａ２に注目して孤立点Ａ２と最も近い孤立点Ａ１および次に近い孤立点Ａ３とのそれぞれの距離ａ１，ａ３を求める。同様にして、他の孤立点Ａ３，Ａ４…について注目し、注目する孤立点とそれに最も近い孤立点および次に近い孤立点とのそれぞれの距離を求める。全ての孤立点についてそれぞれに近い２つの孤立点との間の距離の総和を求め、これを孤立点間の距離のサンプル数で除して、孤立点間の距離の平均値（以下「代表孤立点間距離Ｐｄ」という。）を求める。注目する孤立点について最も近い孤立点および次に近い孤立点との２つの距離の算術平均を代表孤立点間距離Ｐｄとすることで、孤立点が３つ以上集まって存在する場合が多いほど代表孤立点間距離Ｐｄはより小さくなる。
【００６４】
求めた代表孤立点間距離Ｐｄが特定の基準値ＳＶ以内であれば、補正係数Ｃ２に０．５が割り当てられ、代表孤立点間距離Ｐｄが特定の基準値ＳＶを超えると補正係数Ｃ２に２が割り当てられる。この特定の基準値ＳＶおよび補正係数Ｃ２に割り当てられる数値は、評価基準ＴＢの基準の内容ＰＳを参照して決定される。
【００６５】
孤立点完成度Ｃｅの算出を、判りやすい数字を当てはめた図６を参照して説明すると、頁ＰＧＡ，ＰＧＢはいずれも全体の画素数Ｎａは５０００であり、孤立点の画素数Ｎｐは１５０である。したがって、いずれの暫定非完成度Ｃｕも、（５）式から、１５０を５０００で除し１００を乗じた値である３％となる。
【００６６】
頁ＰＧＡでは、孤立点が集まって存在している。仮に、頁ＰＧＡにおける代表孤立点間距離Ｐｄが特定の基準値ＳＶ以内と判断されると、頁ＰＧＡでは補正係数Ｃ２に０．５が割り当てられる。そうすると、（６）式の右辺第２項（図６における非完成度）は７．５（％）となり、孤立点完成度Ｃｅの数値として９２．５（％）が算出される。
【００６７】
一方、頁ＰＧＢでは、孤立点が散在している。頁ＰＧＢにおける代表孤立点間距離Ｐｄが特定の基準値ＳＶを超えたと判断されると、補正係数Ｃ２に２が割り当てられる。この場合には、（６）式の右辺第２項は３０（％）となり、孤立点完成度Ｃｅの数値として７０（％）が算出される。
【００６８】
代表孤立点間距離Ｐｄを評価する特定の基準値ＳＶの前後で、補正係数Ｃ２を０．５と２というように大きく異ならせるのではなく、特定の基準値ＳＶに幅を持たせ、その幅の範囲内では補正係数Ｃ２を０．５と２との間の数値、例えば１としてもよい。また、一般に、頁ＰＧ内に存在する孤立点の数が多いほど孤立点の間の距離は短くなるので、頁ＰＧ内に存在する孤立点の数が多いほど、特定の基準値ＳＶ、または特定の基準値ＳＶの範囲を代表孤立点間距離Ｐｄが小さい方にシフトさせてもよい。
【００６９】
原稿のパンチ穴により生じた黒点は孤立点と同様に扱われる。つまり、通常の孤立点とともに孤立点の画素数Ｎｐ、暫定非完成度Ｃｕ、代表孤立点間距離Ｐｄの導出に反映され、上記（６）式からパンチ穴が考慮された孤立点完成度Ｃｅが算出される。
【００７０】
孤立点完成度Ｃｅの算出においては、頁ＰＧ全体の画素数Ｎａ、孤立点の画素数の和Ｎｐ、および代表孤立点間距離Ｐｄが、本発明におけるパラメータ値ＰＶである。
【００７１】
次に、頁ＰＧの総合完成度Ｐｃおよび電子版下データ全体の完成度Ａｃの算出方法について説明する。
【００７２】
図８は頁ＰＧの総合完成度Ｐｃおよび電子版下データ全体の総合完成度Ａｃの算出方法の概要を示す図である。
【００７３】
図８に示されるように、頁ＰＧの総合完成度Ｐｃは、頁ＰＧの各評価項目ＥＳにおける完成度から（７）式により算出される。
【００７４】
Ｐｃ＝（Ｃａ＋Ｃｂ＋Ｃｃ＋Ｃｄ＋Ｃｅ×２）÷６  ……（７）
（７）式右辺において、各完成度Ｃａ〜ｅの算術平均を求めるのではなく、各完成度Ｃａ〜ｅの和を求める際に孤立点完成度Ｃｅを２倍して６で除しているのは、孤立点完成度Ｃｅに重み付けをするためである。
【００７５】
電子版下データ全体の総合完成度Ａｃは、図８に示されるように、各頁ＰＧの総合完成度Ｐｃの算術平均で算出される。電子版下データ全体における各評価項目ＥＳの完成度も、各頁ＰＧの対応する完成度Ｃａ〜ｅの算術平均で算出される。
【００７６】
電子版下データが複数の章からなり、各章が複数の頁ＰＧからなるときは、章全体の総合完成度Ｓｃはその章を構成する各頁ＰＧの総合完成度Ｐｃの算術平均により算出される。この場合でも、電子版下データ全体の総合完成度Ａｃは、電子版下データの全頁ＰＧについての総合完成度Ｐｃからその算術平均により算出される。
【００７７】
なお、各評価項目ＥＳについての完成度Ｃａ〜ｅを算出するためのそれぞれの評価基準ＴＢ、および頁ＰＧ、章、電子版下データの総合完成度Ｐｃ，Ｓｃ，Ａｃの算出方法は、それぞれ個別に適宜変更することができる。また、画像版下データの用途に応じて評価基準ＴＢを選択できるようにしてもよい。例えば、カタログ用の電子版下データでは画質完成度Ｃｃの評価を厳しくした評価基準ＴＢを参照し、新聞の折り込みチラシ用などの電子版下データでは傾き完成度Ｃａや位置ズレ完成度Ｃｂを厳しく評価する評価基準ＴＢを参照するというように、評価基準ＴＢを変えて各完成度Ｃａ〜ｅを算出するようにしてもよい。
【００７８】
次に電子版下データ管理システム１の処理動作について、フローチャートを参照して説明する。
【００７９】
図９は電子版下データ管理システム１の入稿から表示までのフローチャート、図１０は完成度の数値化処理の概要を示すフローチャートである。
【００８０】
図９において、電子版下データ管理システム１では、記録媒体読み取り装置１９、スキャナ２０、または通信回線ＮＷなどの入稿の手段により電子版下データが入稿される（＃１１）。入稿された電子版下データについて、完成度の数値化を実行する／しないの選択を作業者に求め（＃１２）、完成度の数値化を実行する場合は＃１３へ、完成度の数値化を実行しない場合は＃１４へ遷移する。完成度の数値化が選択されると（＃１３）、入稿された電子版下データに関して各評価項目ＥＳについてのパラメータ値ＰＶの導出を行い、導出したそれぞれのパラメータ値ＰＶに基づいて各完成度Ｃａ〜ｅの数値化処理および総合完成度Ｐｃ，Ｓｃ，Ａｃの数値化処理を行う。完成度数値化処理が完了すると、完成度Ｃａ〜ｅ，Ｐｃ，Ｓｃ，Ａｃの算出結果は、入稿された電子版下データと共に記憶領域１８に保存される（＃１５）。また、ステップ＃１２において電子版下データの完成度の数値化を実行しないが選択されていると、入稿された電子版下データは完成度数値化処理を行うことなく記憶領域１８に保存される（＃１４）。
【００８１】
記憶領域１８に保存されている電子版下データの表示に関するステップ＃１６において、電子版下データの表示の際に、完成度数値化処理が済んでいる電子版下データに対してはその完成度と共に画像データが表示され、完成度数値化処理が済んでいない電子版下データに対しては電子版下データのみが表示される。ステップ＃１７において、ユーザからのトリガーにより、完成度の数値化処理が実行される。
【００８２】
ここで、ステップ＃１７においては、入稿時にステップ＃１２に完成度の数値化を実行しない選択が行われて保存（＃１４）された電子版下データだけではなく、既に完成度の数値化処理が実行済みの電子版下データも読み出して再度完成度の数値化処理を行うことができる。その場合には、完成度の数値化データが再生成され記憶領域１８に保存される。
【００８３】
電子版下データは、完成度の数値化処理が行われた後、作業者によって画像処理部１１による修正処理が行われ、印刷装置２１により適切な印刷が可能なように不具合点が是正される。このとき、数値化された完成度を参考にすれば、完成度が比較的高い版下データは経験が浅い作業者に割り当て、完成度の低い電子版下データは熟練者に割り当てるというように、作業の調整を容易かつ適正に行うことができる。
【００８４】
次に、電子版下データ管理システム１による完成度の数値化処理について簡単に説明する。
【００８５】
図１０を参照して、完成度の数値化処理は、最初に記憶領域１８から評価基準ＴＢが読み出されメモリに記憶される（＃２１）。次に、１頁分の画像データが取り出される（＃２２）。取り出された１頁分の画像データに対して、傾き完成度Ｃａの数値化処理（＃２３）、位置ズレ完成度Ｃｂの数値化処理（＃２４）、画質完成度Ｃｃの数値化処理（＃２５）、印刷適合完成度Ｃｄの数値化処理（＃２６）、および孤立点完成度Ｃｅの数値化処理（＃２７）が行われる。各完成度の数値化処理は、先に説明した方法に従って、パラメータ導出部１４および完成度算出部１５などにより実行される。
【００８６】
各評価項目ＥＳについて数値化された完成度Ｃａ〜ｅは、頁ＰＧごとに記憶領域１８に保存される。また、当該頁ＰＧについてのこれらの完成度Ｃａ〜ｅから当該頁ＰＧの総合完成度Ｐｃが算出され（＃２８）、記憶領域１８に保存される。当該頁ＰＧについてのこれらの処理が終了すると、電子版下データの全ての頁ＰＧについて処理が終了したかが判断され（＃２９）、終了していなければ、次の頁ＰＧが取り出され（＃２２）、各評価項目ＥＳについての完成度および総合完成度が算出される（＃２３〜＃２８）。
【００８７】
章ごとに全ての頁ＰＧについて完成度の算出が終了したら、章ごとの各評価項目ＥＳの完成度および総合完成度Ｓｃが算出される。全ての頁ＰＧについての完成度Ｃａ〜ｅ，Ｐｃの算出が終了したら、電子版下データ全体についての完成度Ａｃが算出される（＃３０）。章ごとおよび電子版下データ全体についての各評価項目ＥＳの完成度および総合完成度Ｓｃ，Ａｃは、いずれも各頁ＰＧのそれぞれ対応する完成度Ｃａ〜ｅ，Ｐｃを算術平均して算出される。
【００８８】
電子版下データについて完成度の算出が終了すると、ＣＲＴ、液晶ディスプレイなどの表示画面に電子版下データが表示され、同時にその各完成度Ｃａ〜ｅ，Ｐｃ，Ｓｃ，Ａｃが表示される。図１１は全ての完成度の算出が終了した後に表示される表示画面の例を示す図である。
【００８９】
図１１の表示画面ＨＧ１では、縮小された複数の頁ＰＧ１〜６が同時に表示されている。頁ＰＧ１〜３は頁全体の画像ＧＺ１〜３が表示され、画像ＧＺ１〜３の下方にそれぞれについての各完成度Ｃａ〜ｅ，Ｐｃの表示ＲＴ１〜３がなされる。頁ＰＧ４〜６では、画像ＧＺ４〜６の上部が表示画面ＨＧ１に表示され、下部は表示画面ＨＧ１から外れている。頁ＰＧ４〜６は、右端のスクロールバーＳＢを操作して表示画面ＨＧ１を下方にスクロールさせれば、画像ＧＺ４〜６の全体および頁ＰＧ４〜６の各完成度Ｃａ〜ｅ，Ｐｃの表示を行わせることができる。各画像ＧＺ１〜６の右上には、頁番号ＰＮ１〜６が表示されるので、表示された画像ＧＺ１〜６および各完成度Ｃａ〜ｅ，Ｐｃが何頁に関するものであるのかを、容易に理解することができる。
【００９０】
各頁ＰＧ１〜６の画像ＧＺ４〜６の左上に、電子版下データのファイル名称および表示された頁ＰＧ１〜６が何章のものであるかの表示をさせてもよい。
【００９１】
数値化された電子版下データの各完成度Ｃａ〜ｅ，Ｐｃ，Ｓｃ，Ａｃは、管理者や作業者の便宜を考慮した種々の形態で表示画面に表示させることができる。
【００９２】
図１２は数値化された電子版下データＤＤ１，２の完成度の表示画面の例を示す図である。図１２に示されるように、電子版下データＤＤ１，２は、左欄ＬＣに章、頁ＰＧがそれぞれの階層に対応してツリー状に展開され、右欄ＲＣに、左欄ＬＣの電子版下データＤＤ１，２、章、頁ＰＧについての総合完成度Ａｃ，Ｓｃ，Ｐｃ、各評価項目ＥＳの完成度Ｃａ，Ｃｂが表示される。表示画面ＨＧ２は、パーソナルコンピュータＰＣに接続されたマウスＭＳなどで、電子版下データＤＤ１，２または章の左側に表示された展開記号ＭＡをクリックするごとに、その展開記号ＭＡが付された電子版下データＤＤ１，２の下位階層である章、または章の下位階層である頁ＰＧが、ツリー状に展開されたり、その展開が閉じられたりするようになっている。
【００９３】
また、左欄ＬＣと右欄ＲＣとの境にはスクロールバーＳＢが設けられており、スクロールバーＳＢを操作すると、左欄ＬＣの電子版下データＤＤ１，２のスクロールに連動して右欄ＲＣがスクロールし、記憶領域１８に格納されている電子版下データの数値化された各完成度Ｃａ〜ｅ，Ｐｃ，Ｓｃ，Ａｃを次々に右欄ＲＣに表示させることができる。完成度の数値化が実行されていない電子版下データでは、完成度の数値を表示する欄に何も表示されない。
【００９４】
電子版下データＤＤ１，２、章、および頁ＰＧには、それぞれを象徴するアイコンＪＣが表示される。展開記号ＭＡの代わりにアイコンＪＣをマウスＭＳでクリックすることにより、電子版下データＤＤ１，２をツリー状に展開させたり、ツリー状の表示を閉じるようにすることもできる。
【００９５】
このように、入稿された電子版下データの完成度を、人が理解しやすいように数値化して且つ一覧性高く表示することにより、電子版下データの管理者が入稿された電子版下データの完成度Ｃａ〜ｅ，Ｐｃ，Ｓｃ，Ａｃを容易に把握することができ、後に行う修正作業のスケジュールの構築や割り振り作業を、時間をかけることなく行うことが可能になる。
【００９６】
電子版下データＤＤ１全体、章ごと、頁ＰＧごとのそれぞれの総合完成度Ａｃ，Ｓｃ，Ｐｃおよび各評価項目ＥＳの完成度Ｃａ〜ｅを、グラフ化して表示装置に表示することができる。図１３はグラフ化された電子版下データＤＤ１の完成度Ｃａ〜ｅ，Ｐｃ，Ｓｃ，Ａｃの表示画面の例を示す図である。表示画面ＨＧ３の上部には、表示させたい完成度Ｃａ〜ｅ，Ｐｃ，Ｓｃ，Ａｃを選択することができる選択部ＳＥが設けられている。表示画面ＨＧ３には、選択部ＳＥにおいてチェックが入れられた完成度が、電子版下データＤＤ１全体、章ごと、および頁ＰＧごとに右欄ＲＣに表示される。左欄ＬＣには、表示画面ＨＧ２と同様に展開記号ＭＡが表示され、左欄ＬＣと右欄ＲＣの境にはスクロールバーＳＢが表示される。展開記号ＭＡを操作することにより、電子版下データＤＤ１全体、章、頁ＰＧの階層表示の切り替えを行うことができ、スクロールバーＳＢを操作することにより、電子版下データＤＤ１をスクロールさせて記憶領域１８に保存された全ての電子版下データの表示が可能なようになっている。
【００９７】
表示画面ＨＧ３に表示されるグラフは、図１３のような棒グラフに限られず、折れ線グラフやレーダーチャートなど、種々のものを採用することができる。表示画面ＨＧ１〜３は、図１１〜１３に示される形態に限られず、目的に応じて種々の形態を採用することができる。
【００９８】
また、電子版下データ管理システム１では、完成度Ｃａ〜ｅ，Ｐｃ，Ｓｃ，Ａｃの算出がなされた電子版下データについて、選択された完成度の任意の数値に基づいて分類すること、および選択された完成度の任意の数値に基づいて検索を行うことができる。図１４は分類結果が表示された表示画面の例を示す図、図１５は検索結果が表示された表示画面の例を示す図である。
【００９９】
図１４に示される表示画面ＨＧ４は、電子版下データＤＤ１の各頁ＰＧについて、数値化された総合完成度Ｐｃを指標として修正作業量の軽重について分類を行った結果を表示したものである。表示画面ＨＧ４では、作業量多、中、および少の３段階に分類されているが、分類の段階数および分類基準は任意に変更することができる。また、傾き完成度Ｃａ、位置ズレ完成度Ｃｂなどの各完成度の数値および複数の完成度の数値を組み合わせて分類することが可能であり、電子版下データ、および章を単位として分類することも可能である。
【０１００】
図１５に示される表示画面ＨＧ５は、記憶領域１８に保存された全電子版下データから、孤立点完成度Ｃｅが３５％以下の頁ＰＧを検索した結果を表示したものである。完成度の数値に基づく検索は、章単位、電子版下データ単位でも行うことができる。また、これら各単位における総合完成度Ｐｃ，Ｓｃ，Ａｃ、各単位ごとの各評価項目ＥＳの完成度のいずれかについて、任意の完成度の数値以上または以下を条件として検索することができる。複数の評価項目ＥＳの完成度を組み合わせて検索するようにしてもよい。完成度Ｃａ〜ｅ，Ｐｃ，Ｓｃ，Ａｃに基づく検索は、例えば、完成度Ｃａ〜ｅ，Ｐｃ，Ｓｃ，Ａｃの下限を設定して修正作業に不慣れな作業者に画像の修正を依頼するための電子版下データを選び出すときなどに、利用することができる。
【０１０１】
なお、分類の結果として表示される表示画面ＨＧ４および検索の結果として表示される表示画面ＨＧ５は、種々の形態を採用することができる。
【０１０２】
頁ＰＧについての各評価項目ＥＳの完成度Ｃａ〜ｅの数値を、その完成度Ｃａ〜ｅを１００％にするために要する修正工数（時間×人／頁）に対応させた標準工数を設定しておき、これに基づいて電子版下データ全体、章ごと、または頁ＰＧの総合完成度Ｐｃ，Ｓｃ，Ａｃを１００％にするのに要する修正工数を算出できるようにしてもよい。各評価項目ＥＳの標準工数は、修正工数の数値を完成度Ｃａ〜ｅの数値の１次関数として表現することが好ましい。そうすると、完成度の数値から、電子版下データ間の相対的な修正工数が推定しやすい。そのとき、修正工数の数値は完成度Ｃａ〜ｅの数値に反比例することになり各１次係数はいずれも負の値となる。
【０１０３】
頁ＰＧを修正するのに要する工数は、次のようにして求められる。
【０１０４】
例えば、ある頁ＰＧの傾き完成度Ｃａが９０％であってその修正工数が標準工数からＨ１（時間×人／頁）であり、位置ズレ完成度Ｃｂが９５％であってその修正工数が標準工数からＨ２（時間×人／頁）であり、画質完成度Ｃｃが５０％であってその修正工数が標準工数からＨ３（時間×人／頁）であり、印刷適合完成度Ｃｄが８５％であってその修正工数が標準工数からＨ４（時間×人／頁）であり、および孤立点完成度Ｃｅが４５％であってその修正工数が標準工数からＨ５（時間×人／頁）である。そうすると、当該頁ＰＧの修正工数は、各評価項目ＥＳにおける修正工数の和であるＨ１＋Ｈ２＋Ｈ３＋Ｈ４（時間×人／頁）として求めることができる。
【０１０５】
各評価項目ＥＳの完成度Ｃａ〜ｅは、その数値が同じ場合にはいずれも同じ修正工数となるように評価基準ＴＢが定められるのが好ましい。その場合には、各評価項目ＥＳに共通の１つの標準工数を設定すればよい。標準工数を各評価項目ＥＳに共通とせず、評価項目ＥＳごとに異なる標準工数を設定してもよい。
【０１０６】
標準工数は平均的な熟練度を有する作業者を基準とするものであり、未熟者および熟練者については、それぞれに応じた標準工数を設定しておき修正工数を求めることができる。また、求めた修正工数に熟練度に応じた補正係数を乗じて、種々の熟練度の者についての修正工数を求めるようにしてもよい。
【０１０７】
各評価項目ＥＳの完成度の数値化を、上に述べた方法の他に、以下のようにして行うことができる。
【０１０８】
例えば、傾き完成度Ｃａ' は、傾き角度Ｓｄが０度の場合を完成度１００％とし、以下のようにして数値化する。
【０１０９】
Ｃａ' ＝（１００−Ｓｄ）×１００              ……  （８）
但し、傾き角度Ｓｄ（の絶対値）が１００度を超える場合は、傾き完成度Ｃａ' を０％とする。
【０１１０】
孤立点完成度Ｃｅ' は、孤立点が頁ＰＧ内に存在するとき孤立点１つにつき−１％、孤立点が頁ＰＧ外に存在するとき孤立点１つにつき−０．５％を完成度１００％に加算する。パンチ穴は除去作業の負担がやや大きいので１つにつき−１０％を加算する。
【０１１１】
頁ＰＧに関する総合完成度Ｐｃは、各評価項目ＥＳにおける完成度を算術平均して算出する。
【０１１２】
上に述べた実施形態において、完成度の算出最小単位を頁ＰＧではなく、頁ＰＧを構成する画像ごとに行うことができる。その場合、頁ＰＧごとの傾き完成度Ｃａ、位置ズレ完成度Ｃｂなどの各評価項目の完成度Ｃａ〜ｅは、例えば、当該頁ＰＧ内の各画像のそれぞれの完成度を算術平均して算出する。また、表示画面ＨＧ２は、頁ＰＧがさらにその下位階層である画像単位に展開され、画像ごとに各完成度が表示される。表示画面ＨＧ３についても同様に頁ＰＧがその下位階層である画像単位に展開できるように構成される。このときの章および電子版下データ全体における各評価項目における完成度は、先に説明した実施形態と同様に、頁ＰＧごとの各完成度Ｃａ〜ｅを算術平均して算出し、総合完成度Ｓｃ，Ａｃは各頁ＰＧの総合完成度Ｐｃを算術平均して算出する。
【０１１３】
印刷装置２１として複合機を使用する場合には、複合機の表示装置に数値化された完成度を表示させてもよい。
【０１１４】
その他、電子版下データ管理システムの各部又は全体の構成、処理内容、処理順序、処理タイミング、表示内容、形状、寸法、個数などは、本発明の趣旨に沿って適宜変更することができる。
【産業上の利用可能性】
【０１１５】
本発明は、印刷物を作成するための電子版下データの管理、作業者への作業割り振りを含めた電子版下データの修正作業計画立案などに利用可能である。
【図面の簡単な説明】
【０１１６】
【図１】本発明に係る電子版下データ管理システムの構成を示す図である。
【図２】電子版下データ管理システムを実施するための機器構成を示す図である。
【図３】傾き完成度の数値化方法を示す図である。
【図４】位置ズレ完成度の数値化方法を示す図である。
【図５】画質完成度の数値化方法を示す図である。
【図６】孤立点完成度の数値化方法を示す図である。
【図７】評価基準の例を示す図である。
【図８】頁の総合完成度および電子版下データ全体の総合完成度の算出方法の概要を示す図である。
【図９】電子版下データ管理システムの入稿から表示までのフローチャートである。
【図１０】完成度の数値化処理の概要を示すフローチャートである。
【図１１】完成度の算出が終了した後に表示される表示画面の例を示す図である。
【図１２】数値化された完成度の表示画面の例を示す図である。
【図１３】グラフ化された完成度の表示画面の例を示す図である。
【図１４】分類結果の表示画面の例を示す図である。
【図１５】検索結果の表示画面の例を示す図である。
【符号の説明】
【０１１７】
１  電子版下データ管理システム
１２  記憶部（基準値記憶手段）
１４  パラメータ値導出部
１５  完成度数値化部
１６  分類検索部（分類する手段、検索する手段）
１７  表示部
１８  記憶領域（基準値記憶手段）
Ａｃ  電子版下データの総合完成度
Ｃａ〜ｅ  完成度
Ｃｂｘ，Ｃｂｙ  位置ズレの値（位置のズレ）
ＤＤ１，２  電子版下データ
ＥＳ評価項目
ＪＣ  アイコン
Ｎｄ  画質が要する画質修正処理法の数（画質修正処理の種類数）
Ｎｐ  孤立点の画素数の総和（孤立点の存在の仕方）
Ｎｒ  不適合項目数
ＰＧ  頁
Ｐｃ  頁の総合完成度
Ｐｄ  代表孤立点間距離（孤立点の存在の仕方）
ＰＶ  パラメータ値
Ｓｃ  章の総合完成度
Ｓｄ  傾き角度（画像の傾き）
ＴＢ  評価基準
【図１】
2006162812.tif 000003
【図２】
2006162812.tif 000004
【図３】
2006162812.tif 000005
【図４】
2006162812.tif 000006
【図５】
2006162812.tif 000007
【図６】
2006162812.tif 000008
【図７】
2006162812.tif 000009
【図８】
2006162812.tif 000010
【図９】
2006162812.tif 000011
【図１０】
2006162812.tif 000012
【図１１】
2006162812.tif 000013
【図１２】
2006162812.tif 000014
【図１３】
2006162812.tif 000015
【図１４】
2006162812.tif 000016
【図１５】
2006162812.tif 000017